(57)【要約】      （修正有）【課題】  非接触型スイッチを利用した衛生洗浄装置の制御装置の操作パネルのサイズを縮小するとともに、操作パネルの非使用時の有効利用を行う衛生洗浄装置の制御装置を提供する。【解決手段】  表示装置４に操作内容の一部を表示し、画面の遷移を行うことで、少数の非接触型スイッチ１０による多数の操作が可能になり、操作パネルのサイズの縮小が実現できる。また、使用者がトイレに入室中であり、かつ使用者の操作パネルを使用していない時間帯には表示装置４に広告などの情報を表示し、トイレの設置者または管理者等が広告による収益を得ることができるようにする。【選択図】        図１
2007051418.tif 000002
【特許請求の範囲】
【請求項１】
衛生洗浄装置の使用者にとっての全ての操作項目を一つ以上のグループに分け、グループを単位として表示装置に表示することにより、使用者が一度に選択可能な操作項目の数を限定することができる。よって非接触型スイッチの設置数が限定され、操作パネルのサイズを縮小することができることを特徴とする衛生洗浄装置の制御装置。
【請求項２】
請求項１にある装置において、通信部において広告を受信し、請求項１にある装置の非使用時間に表示装置に広告等を表示することを特徴とする装置。
【請求項３】
請求項２にある装置において、広告が表示されている時間を広告ごとに計測し、任意の時間的取り決めにしたがって、該広告ごとの合計表示時間を通信部を介して通信網上の装置に送信することを特徴とする装置。
【発明の詳細な説明】
【技術分野】
【０００１】
本発明は、非接触型スイッチと表示装置を有する衛生洗浄装置の制御装置に関する。
【背景技術】
【０００２】
衛生洗浄装置の制御装置の定義として、局部の洗浄およびそれらの乾燥等の制御を行う一般的な衛生洗浄装置の制御装置に加え、排泄物の水洗なども一つの操作パネル上で行うような、トイレに関わる操作を集中して制御できるような装置とする。
【０００３】
操作パネルは一般に、便器に付着して設置されるものと、トイレの壁面に設置されるものがある。操作パネルをトイレの壁面に設置した場合には、操作パネルは有線または無線のリモコンを介して洗浄装置に接続される。操作パネル上には制御スイッチが必要な操作の数だけ設置され、それぞれの操作の名称が記されている。
【０００４】
特許文献１の発明は、衛生洗浄装置の制御装置に液晶ディスプレイを装着することで、使用者への該装置の使用方法の解説などを行っている。この特許文献１に開示の装置によると、使用者の該装置の非使用時間の表示内容の制御は行っておらず、広告の表示による収益の獲得といった非使用時の効率的な利用がされていないという問題があった。
【０００５】
特許文献２の装置は、洗浄手段を有する本体と、該本体に組み込まれた本体操作部と、から構成された衛生洗浄装置において、前記本体操作部は使用者が非接触で操作できるスイッチを有することを特徴とする装置が記載されている。この特許文献２に開示の装置によると、必要な操作の数だけスイッチを用意する必要があり、本体操作部の占める面積が大きくなるため使用者にとって扱いづらいという問題があった。また、使用者の操作パネル非使用時には、表示装置はトイレの設置および使用者にとって有効に活用されていないという問題があった。
【０００６】
【特許文献１】特開平５−３０６５３９
【特許文献２】特開２００２−３１７４８２
【発明の開示】
【発明が解決しようとする課題】
【０００７】
従来の製品の構造では、衛生洗浄装置の操作を非接触で行う場合、操作の数だけ非接触型スイッチを配置する必要があった。本発明の目的は、操作パネルのサイズを縮小するとともに、使用者の操作パネル非使用時には表示装置に広告などの情報を表示することによって、操作パネル非使用時間の有効活用をはかることにある。
【課題を解決するための手段】
【０００８】
図１において、全操作項目を一つ以上のグループに分け、グループごとに表示装置４に表示することにより、使用者が一度に選択できる操作の数を限定することができ、非接触型スイッチ１０の設置数を限定することができる。選択肢の中に、グループ間の遷移も含めておくことにより、使用者は複数回の操作で任意の操作項目を選択することができる。使用者が選択できる操作の総数と種類については、ソフトウェア上で設定が可能であり、機能の追加、削除についてのメンテナンスも容易となる。また、使用者にとっては操作パネルの使用時のみ表示装置４に操作の選択肢が表示されていれば十分であり、使用者の操作パネル非使用時には広告などの情報を表示する。前記の情報は、操作装置に内蔵された通信システムなどによって、操作パネルに内蔵された記憶装置（記憶部８）に蓄積されたものである。
【発明の効果】
【０００９】
以上のように、衛生洗浄装置の制御装置に表示装置を取り付け表示内容をソウトウェアを利用して遷移させることにより、公衆衛生上非接触型スイッチの数を限定することができる。非接触型スイッチを使用するのは、公共施設に設置されたトイレのように、不特定多数の人に触れられるようなトイレにおいて非接触型スイッチを使用することにより、公衆衛生の向上をはかるためである。また、非接触型スイッチを使用することにより、衛生洗浄機操作装置を簡単な保護ケースなどで完全に被覆することができ、保護ケースによる防水機能や破損防止機能が実現できる。
【００１０】
また、使用者の操作パネル非使用時に表示装置４に表示される広告などの広告収入によって、公共施設に設置されたトイレなどの運営費用が削減でき、衛生洗浄装置が搭載されたトイレの普及が促進されることが期待される。予算等の問題で衛生洗浄装置が設置されていない公共施設のトイレなどにおいて、本発明による装置の製造者が該装置を搭載した衛生洗浄装置を無償または廉価で公共施設に提供する代わりに、該装置に表示される広告収入を得る権利を得るといった等価交換を行うビジネスモデルにより、衛生洗浄装置が搭載されたトイレの普及が促進されることが期待される。
【００１１】
また、装置ごと広告ごとの表示時間についての集計を行い、日計レポート等を作成しサーバに送信することにより、広告依頼主の広告戦略についての有用な情報を提供できる。
【発明を実施するための最良の形態】
【００１２】
本発明の実施の形態を図面に基づき詳細に説明する。図１は、本発明の衛生洗浄装置の制御装置の実施形態例を実現する基本構成図である。図２は表示装置４の表示例と非接触スイッチの配置例を示す図である。図３は実施形態例を実現する表示装置４に表示される内容の状態遷移図である。
【００１３】
１）トイレに人がいない状態では、省電力のため表示装置４は無表示である（無表示状態３１）。
２）人感センサ１１によりトイレに人が入室したことを感知すると、バス３を経由してＣＰＵ２へ入室した旨の入力が発生し、ＣＰＵ２は記憶部８に保持されている操作メニューを、同期制御部６と表示制御部５に読み出すような命令を出力する。表示制御部５は読み出した操作メニューを表示装置４に表示する（操作メニュー表示状態３２）。
３−１）操作メニューが表示されている状態で非接触型スイッチ１０からＣＰＵ２に入力があった場合、ＣＰＵ２は入力があった非接触型スイッチ１０に対応する操作の内容を同期制御部６に保持されている情報を読み出す音によって使用者の意図する操作の内容を理解し、該当する出力先に向けて命令セットを出力する。
３−２−１）操作メニューが表示されている状態で非接触型スイッチ１０からＣＰＵ２に対して一定の無入力時間が継続した場合、ＣＰＵ２は記憶部８に保持されている広告画像を表示制御部５に、記憶部８に保持されている広告のであることおよび広告の内容を示すＩＤを同期制御部６に読み出すような命令を出力する。表示制御部５は読み出した広告を表示装置４に出力する（広告表示状態３３）。
３−２−２）広告が表示されている状態で非接触型スイッチ１０からＣＰＵ２に入力があった場合、２）と同様の方法で操作メニューを表示装置４に表示する（操作メニュー表示状態３２）。
４）人感センサ１１によりトイレに人が退室したことを感知すると、バス３を経由してＣＰＵ２へ退室した旨の入力が発生し、ＣＰＵ２は表示制御部５には表示装置４を無表にする旨の命令を、同期制御部６には現在無表示である旨の命令を出力する（無表示状態３１）。
【００１４】
広告画像については通信部９の持つ有線または無線のインタフェースにより、インターネットを経由した配信または手動による配信を行う。本発明による装置に配信された広告画像は記憶部８に広告ＩＤとともに保持される。
【００１５】
広告が表示されている時間を広告ＩＤを基に計測し、記憶部８に時間を保持する。毎日予め決められた時間になると、ＣＰＵ２の命令により記憶部８に保持されている広告ごとの表示時間が日計レポートとしてインターネット上にあるサーバに送信される。このレポートを広告依頼主に提供することによって、広告依頼主は広告の効果を定量的に計ることができる。
【００１６】
無表示状態３１または広告状態からの操作メニュー表示状態３２への復帰については、使用者の目に付きやすい位置に簡単な操作方法を掲示する。
【００１７】
操作パネルの非使用時に表示装置４に表示される内容は広告にかかわらず、本発明による装置も設置者またはトイレの管理者にとって収益が得られるものであればよい。
【産業上の利用可能性】
【００１８】
本発明は、衛生洗浄装置を製造・販売する産業分野、または自治体、学校、交通機関のような公衆トイレを所有または管理する必要のある産業分野に適用できる。
【図面の簡単な説明】
【００１９】
【図１】本発明の衛生洗浄装置の制御装置の実施形態例を実現する基本構成図である。
【図２】表示装置４の表示例と非接触型スイッチ１０の配置例を示す図である。
【図３】本発明の実施形態例であって、表示装置４に表示される内容の状態遷移図である。
【符号の説明】
【００２０】
１、２２    本体
２          ＣＰＵ
３          バス
４          表示装置
５          表示制御部
６          同期制御部
７          出力部
８          記憶部
９          通信部
１０、２３  非接触型スイッチ
１１        人感センサ
２１        保護ケース
３１        無表示状態
３２        操作メニュー表示状態
３３        広告表示状態
【図１】
2007051418.tif 000003
【図２】
2007051418.tif 000004
【図３】
2007051418.tif 000005